(57)【特許請求の範囲】
【請求項１】
少なくとも、運転停止前の運転条件を記憶し、再運転時に、記憶された運転条件に従って運転条件を設定し運転するオートリスタート運転モードと、外部からの運転指令に従って運転される運転モードとを有する空気調和機において、
前記オートリスタート運転モードを記憶する第１の記憶領域と、前記外部からの運転指令に従って運転される運転モードを決定する第２の記憶領域との少なくとも一部を同一の不揮発性メモリの同一記憶領域で共用するものとして構成され、
前記不揮発性メモリの前記共用している領域を、前記オートリスタート運転モードの記憶用、または前記外部からの運転指令に従って運転される運転モードの記憶用に、強制運転ボタンのオン時間によって、切換える切換手段を備え、
前記不揮発性メモリの前記共用している領域は、第１アドレス領域と第２アドレス領域とを備え、
前記第１アドレス領域は、風量設定データ領域と、温度設定データ領域と、運転中／停止判別用フラグ領域と、オートリスタートあり／なし設定フラグ領域と、を備え、るものとして構成され、
前記第２アドレス領域は、機能設定データ領域と、その他の運転データ領域と、を備えるものとして構成された、
ことを特徴とする空気調和機。
【発明の詳細な説明】
【０００１】
【発明の属する技術分野】
本発明は、テレコントロール（通信回線、例えば電話回線を通しての遠隔運転停止制御。以下、テレコンという）により運転又は停止をさせることができる空気調和機に関するものである。
【０００２】
【従来の技術】
家庭用の空気調和機は、運転停止を含めてリモコンからの信号によって制御するのが一般的であるが、リモコンを用いることなく、いわゆるホームオートメーション（以下、ＨＡという）の一環として制御したり、遠く離れた自宅外の場所からテレコンにより運転停止をさせたりすることが行われている。テレコンを用いることにより、例えば、天気予報とは裏腹に予想外に暑くなってしまったような場合、帰宅前に空気調和機を運転しておき、帰宅時には室内が適度に冷房されているようにすることが可能である。このような趨勢のもとで、空気調和機自体の制御態様もますます多種多様化し、室内空気の温度や湿度の制御はもちろん、ごみの除去やマイナスイオンの付加等を行う、いわゆる空清運転の可能なものも少なくない。このような制御ないし運転は、ＣＰＵ又はＭＰＵ（これらを総称してＣＰＵという）によって実行される。この種のＣＰＵはＲＡＭやＲＯＭ等のメモリを付属している。このメモリの必要容量も制御態様の多様化に伴って増加の一途をたどる傾向にある。
【０００３】
【発明が解決しようとする課題】
そこで最近の空気調和機においては、種々の機能を犠牲にすることなくメモリの必要容量をいかにして減少させるかが設計上の大きなキーポイントとなっている。
したがって、本発明はメモリの必要容量を節減しうる空気調和機を提供することを目的とする。
【０００４】
【課題を解決するための手段】
上記目的を達成するために、請求項１に係る発明は、少なくとも、運転停止前の運転条件を記憶し、再運転時に、記憶された運転条件に従って運転条件を設定し運転するオートリスタート運転モードと、外部からの運転指令に従って運転される運転モードとを有する空気調和機において、
前記オートリスタート運転モードを記憶する第１の記憶領域と、前記外部からの運転指令に従って運転される運転モードを決定する第２の記憶領域との少なくとも一部を同一の不揮発性メモリの同一記憶領域で共用するものとして構成され、前記不揮発性メモリの前記共用している領域を、前記オートリスタート運転モードの記憶用、または前記外部からの運転指令に従って運転される運転モードの記憶用に、強制運転ボタンのオン時間によって、切換える切換手段を備え、
前記不揮発性メモリの前記共用している領域は、第１アドレス領域と第２アドレス領域とを備え、
前記第１アドレス領域は、風量設定データ領域と、温度設定データ領域と、運転中／停止判別用フラグ領域と、オートリスタートあり／なし設定フラグ領域と、を備え、るものとして構成され、
前記第２アドレス領域は、機能設定データ領域と、その他の運転データ領域と、を備えるものとして構成された、
ことを特徴とする。
【０００７】
【発明の実施の形態】
図２は本発明を適用する空気調和機の室内ユニット部分を示すブロック図である。この室内ユニット１０はメモリ１２を有するＣＰＵ１１を中心とし、それによって制御される温度制御部１３、湿度制御部１４、風量制御部１５、及び空清制御部１６を備えている。リモコン２０からの光信号は受光部１７によって受光され、電気信号に変換されてＣＰＵ１１に入力される。室内ユニット１０には、リモコン２０以外からの信号、例えば電話線等から有線又は無線によりテレコン信号を受信するための外部信号端子１８をも備えている。メモリ１２はＲＡＭおよびＲＯＭのほかに不揮発性メモリとしてＥＥＰＲＯＭ（再書込み可能なＰＲＯＭ）を含んでいる。
【０００８】
温度制御部１３は、室外ユニット３０と共同して室内温度を制御するものであって、室内熱交換器を含んでいる。湿度制御部１４は、上述の室内熱交換器を含んで構成され、除湿（ドライ）又は加湿をして室内湿度を所定の範囲内になるように制御する。風量制御部１５は室内熱交換器に近接配置された室内送風機による吹出し風量を制御する。空清制御部１６は室内空気の清浄度を制御するものであって、室内空気に含まれるほこりを除去し、あるいは室内空気にマイナスイオンを付加して室内空気を汚れの無い健康的なものにするための制御部分である。
【０００９】
基本的には空気調和機はリモコン２０からの信号によって運転され、又は停止される。リモコン２０は種々の設定、例えば室温設定値を受光部１７を介してＣＰＵ１１に送信することができる。しかし、外部信号端子１８を介して入力されるテレコン信号又はＨＡシステムからの制御信号によって運転停止を制御することもできる。
【００１０】
図３及び図４に示すように、空気調和機の停止時にリモコン２０から運転信号を受信する（ステップ１０１）と、リモコン２０の設定に従い空気調和機の運転を開始する（ステップ１０２）。次にオートリスタート制御が設定されているかどうかをチェックし（ステップ１０３）、設定されていれば、その設定内容に従った空気調和機の運転状態をオートリスタートデータとしてＥＥＰＲＯＭに記憶する（ステップ１０４）。この後、ステップ１０３で設定されていなかった場合を含めて、ＨＡ運転に必要なデータをＥＥＰＲＯＭに記憶する（ステップ１０５）。ステップ１０１で運転に入って記憶処理を終えた後は、停電が起らず、かつリモコン２０から運転停止信号が受信されず、しかも運転条件の設定変更、例えば設定温度の変更等が無ければ、同一条件で運転を継続する（ステップ１０６，１０７，１０８）。ステップ１０８で設定変更がありとなれば、変更後の運転条件をメモリ１２のＥＥＰＲＯＭに記憶させた（１０９）後、その設定変更された運転条件で運転する（ステップ１１０）。ここで、停電後の再運転に備えて「異常停止準備フラグ」を立て（ステップ１１１）、ステップ１０６以下を繰返す。ステップ１０６で「Ｙｅｓ」（停電発生）の時は、強制的に運転中断とされ（ステップ１１２）、停電復帰を待つ（ステップ１１３）。停電復帰したら、オートリスタート制御設定ありを確認し（ステップ１１４）、メモリ１２に記憶されたオートリスタートの運転条件を読出し、それを運転条件として設定し（ステップ１１５）、設定された運転条件に従って空気調和機を運転する（ステップ１１６）。ステップ１１４でオートリスタート制御設定ありとの情報が得られなかった時はリモコン２０からの指令に応じて条件設定し（ステップ１１７）、ステップ１１６の運転に入る。ステップ１１６以下はステップ１０６に戻って運転を継続する。ステップ１０７で運転停止信号があった時は、メモリ１２に正常停止フラグを立てて（ステップ１１８）から運転停止とする（ステップ１１９）。
【００１１】
次に非通常運転の場合について説明する。図５において、運転停止の状態でリモコン２０に設けられている強制運転ボタンをオンにした（ステップ１２１）時、そのオン状態の継続時間Ｔon（秒）に従い（ステップ１２２）、Ｔon＜３ならそのまま図６に示す「強制自動運転」に入る（ステップ１３１）。しかし、強制運転ボタンを押し続け、３≦Ｔon＜１０なら「強制自動運転」に入る点では同一であるが、オートリスタート制御設定の自動切換（ステップ１２３）を行ってからにする。すなわち、「設定なし」となっている時は「設定あり」に、「設定あり」となっている時は「設定なし」に切換える。この切換の後、ステップ１３１の「強制自動運転」に入る。ステップ１２２でＴon≧１０の場合は、オートリスタート制御を「設定なし」に切換える（ステップ１２４）。すなわち、「設定なし」となっている時はそのまま「設定なし」に、「設定あり」となっている時は「設定なし」に切換える。この切換の後、「強制冷房運転」に入る（ステップ１２５）。
【００１２】
図６に示す強制自動運転（ステップ１３１）に入ったら、まずその時の運転条件をＥＥＰＲＯＭに記憶すると共に「異常停止準備フラグ」を立てる（ステップ１３２）。停電発生の有無をチェックし（ステップ１３３）、運転停止信号の有無をチェックし（ステップ１３４）、運転条件の設定変更有無をチェックし（ステップ１３５）、それぞれ停電発生なし、運転停止信号なし、運転条件の設定変更なしであれば、そのままの運転条件で運転継続となる。停電発生なし、運転停止信号なし、運転条件の設定変更ありであれば、設定変更された運転条件で運転し（ステップ１３６）、ステップ１３２へ戻る。ステップ１３４で運転停止信号ありの場合は、メモリに正常停止フラグを立てて（ステップ１３７）運転停止とする（ステップ１３８）。ステップ１３３で停電発生となった場合は、運転中断となり（ステップ１３９）、図７に示すように、停電復帰を待ち（ステップ１４０）、停電復帰により異常停止準備フラグの存在を確認し（ステップ１４１）、ＥＥＰＲＯＭに記憶されている強制自動運転の運転条件を読出し、それを運転条件として設定し（ステップ１４２）、設定された運転条件に従って強制自動運転を行う（ステップ１４３）。この後はステップ１３２へ戻って強制自動運転を継続する。ステップ１４１で異常停止準備フラグの存在を確認できなかった場合は、リモコン運転を行う（ステップ１４４）。
【００１３】
図８を参照してＨＡ（ホームオートメーション）運転中の動作について説明する。この場合の運転手順は、基本的には既に説明したリモコン運転（図３，４）の場合と同様である。運転中の運転条件をＥＥＰＲＯＭに記憶し（ステップ１５１）、ＨＡ運転中に停電が発生した時は（ステップ１５２）、強制的に運転中断とされ（ステップ１５３）、停電復帰を待つ（ステップ１５４）。停電復帰したら、停電発生前にＥＥＰＲＯＭに記憶した運転条件を読出し、それを運転条件として設定し（ステップ１５５）、それに従って空気調和機の運転を再開する（ステップ１５６）。
【００１４】
次にリモコン２０からの送信データについて説明する。リモコン２０からは、図９に示すように、８ビット×１０の計８０ビットを単位として受光部１７に向けて送信され、ＣＰＵ１１で解読される。運転データのために、８×３ビットが用いられ、運転Ａコードデータ、運転Ｂコードデータ及び運転Ｃコードデータとしてそれぞれ８ビットずつ割当てられている。運転Ａコードデータは、ビット番号７〜４で、２４℃を標準として、その下方に１℃刻みで１７℃まで７点、上方に３０℃まで６点、都合１４点（最大１６点まで可能）の温度設定のために用いられ、ビット番号３，２，１，０については、ここでは省略する。
【００１５】
運転Ｂコードデータは、ビット番号７〜５で、風量データが、自動、Ｌ−（しずか）、Ｌ（低）、Ｍ（中）、Ｈ（高）などと最大限８種類の設定が可能であり、他の３ビット（ビット番号２，１，０）を利用して運転モードが設定される。この運転モードには、自動、冷房、ドライ、暖房、送風、停止等があり得る。
【００１６】
運転Ｃコードデータの８ビットは、パワー切換等に関する機能設定データ領域であり、タイマＡ以下の８×６ビットは種々のタイマ及び時刻データのためのデータ領域である。最後のメリットと称するデータ領域では、ビット番号２〜０を用いて除湿又は加湿のための湿度設定値が、湿度設定なしを含めて種々の湿度範囲が都合８種類設定可能である。ビット番号７〜４を用いて種々の「お好み」運転等に関するデータが計１６種類について設定可能である。
【００１７】
図１は、メモリ１２の不揮発性メモリ領域（ＥＥＰＲＯＭ）の本発明に関わる部分のメモリマップを示すものである。アドレス１Ａ，１Ｂはそれぞれ領域Ｆ〜０の１６ビットからなり、いずれも本発明に従いオートリスタート運転とＨＡ運転のためのコードデータ記憶のために共通に利用される。アドレス１Ａの領域Ｆ〜８には、図９に示したリモコン２０からの送信コードデータのうち、運転Ｂコード（風量、運転モード等）データが記憶され、領域７〜０には、領域３及び０を除いて、運転Ａコードデータ（設定温度データ等）が記憶される。さらに、アドレス１Ａの領域３には運転中／停止判別用フラグが記憶され、領域０には運転スイッチにより切換えられるオートリスタートのあり／なし設定フラグが記憶される。このソフト的な設定は、ハード的なジャンパを「切」状態にすることによって初めて有効になるものとする。アドレス１Ｂの領域Ｆ〜８にはリモコン２０からのメリットコード（図９の最下段参照）データが記憶され、領域７〜０にはリモコン２０からの運転Ｃコードデータが記憶される。
【００１８】
本発明によれば、オートリスタート運転とＨＡ運転のためのデータをＥＥＰＲＯＭの同一領域に共通に記憶させることにより、メモリの必要容量の節減を図ることができる。
【００１９】
【発明の効果】
本発明によれば、可及的にメモリ領域を共用することによりメモリの必要容量を節減することができる。
【図面の簡単な説明】
【図１】本発明に関わる不揮発性メモリ領域（ＥＥＰＲＯＭ）のメモリマップ。
【図２】本発明を適用する空気調和機の制御系を示すブロック図。
【図３】リモコンからの指令に従って運転される空気調和機の運転手順を示す一部のフローチャート。
【図４】リモコンからの指令に従って運転される空気調和機の運転手順を示す他の一部のフローチャート。
【図５】強制運転スイッチの押圧態様による運転モード選択部分を示すフローチャート。
【図６】強制自動運転の場合の運転手順を示す一部のフローチャート。
【図７】強制自動運転の場合の運転手順を示す他の一部のフローチャート。
【図８】ホームオートメーション運転の場合の要部の運転手順を示す一部のフローチャート。
【図９】リモコンからの送信信号のデータ構成例を示す図表。
【符号の説明】
１０  室内ユニット
１１  ＣＰＵ
１２  メモリ
１３  温度制御部
１４  湿度制御部
１５  風量制御部
１６  空清制御部
１７  受光部
１８  外部信号端子
２０  リモコン
３０  室外ユニット
【図１】
0004493195.tif 000002
【図２】
0004493195.tif 000003
【図３】
0004493195.tif 000004
【図４】
0004493195.tif 000005
【図５】
0004493195.tif 000006
【図６】
0004493195.tif 000007
【図７】
0004493195.tif 000008
【図８】
0004493195.tif 000009
【図９】
0004493195.tif 000010